(57)【特許請求の範囲】
【請求項１】
毛髪処理剤が収容された容器に取り付けられる毛髪処理剤塗布具であって、
吐出孔が形成された基台と、該基台から立設された複数の櫛歯を備え、
前記吐出孔は、該毛髪処理剤塗布具が前記容器に取着された状態で該容器に連通する連通路の吐出口の吐出方向直上に位置するスリット状の主吐出孔と、前記連通路の吐出口の吐出方向直上とは異なる箇所に位置する従吐出孔からなり、
前記櫛歯は、前記基台の内周側から外周側に複数列立設されており、
前記主吐出孔は、最内周の櫛歯より内側に形成され、
前記従吐出孔は、最外周の櫛歯より内側であって、最内周の櫛歯より外側又は最内周の櫛歯と同一列上に形成されていることを特徴とする毛髪処理剤塗布具。
【請求項２】
最内周の櫛歯の高さは、前記基台の上面から３〜８ｍｍであり、
最外周の櫛歯の間隔は、０．６〜１．５ｍｍであり、
前記複数の櫛歯は、略同一の高さに形成されている請求項１に記載の毛髪処理剤塗布具。
【請求項３】
請求項１又は２に記載の毛髪処理剤塗布具が取り付けられてなる毛髪処理具であって、
ステムを有するとともに毛髪処理剤が収容されたエアゾール容器と、前記毛髪処理剤塗布具と前記エアゾール容器を連結する連結具を備え、
前記連結具には、前記ステムと前記毛髪処理剤塗布具に形成された前記吐出孔を連通する前記連通路が形成され、
前記毛髪処理剤塗布具を押し下げることによって前記ステムが開放されて、前記エアゾール容器内の毛髪処理剤が、前記連通路を介して前記吐出孔から吐出されるように構成されていることを特徴とする毛髪処理具。
【請求項４】
請求項１又は２に記載の毛髪処理剤塗布具が取り付けられてなる毛髪処理具であって、
可撓性を有するとともに毛髪処理剤が充填された樹脂容器を備え、
前記樹脂容器をスクイズすることによって、前記樹脂容器内の毛髪処理剤が前記連通路を介して前記吐出孔から吐出されるように構成されていることを特徴とする毛髪処理具。
【発明の詳細な説明】
【技術分野】
【０００１】
本発明は、毛髪処理剤を毛髪に塗布するための毛髪処理剤塗布具、及び毛髪処理剤塗布具が取り付けられてなる毛髪処理具に関する。
【背景技術】
【０００２】
一般に、ファッションの一つとして、例えば染毛剤により毛髪の色を変えたり、脱色剤や脱染剤によって毛髪の色を落としたり、パーマ処理剤により毛髪にウェーブをかける等、各種毛髪処理剤（薬剤）により毛髪に変化を施すことが広く定着している。このような毛髪処理剤を毛髪に塗布するための道具として毛髪処理剤塗布具が知られている。該毛髪処理剤塗布具は、薬剤を収容した容器に取り付けられ、容器に形成された毛髪処理剤吐出通路に連通する吐出孔から毛髪処理剤を吐出するとともに、吐出孔の周囲に立設された櫛歯に毛髪処理剤を保持することにより、毛髪に毛髪処理剤を効率よく絡ませることができるように構成されている。
【０００３】
特許文献１には、２剤形式の毛髪染毛剤を塗布するための吐出装置に係る発明が記載されている。ここで、２剤形式の毛髪染毛剤とは、酸化染料を含有する第１剤と、過酸化水素等の酸化剤を含有する第２剤からなる毛髪染毛剤、或いは、アルカリ剤を含有する第１剤と、過酸化水素を含有する第２剤とからなる毛髪染毛剤等が例示される。このような２剤形式の毛髪染毛剤は、それぞれ第１剤と第２剤とを別個の容器に収容し、使用時に第１剤と第２剤とを同時に吐出させて混合することで、反応が開始された混合薬剤を毛髪に塗布するものである。
【先行技術文献】
【特許文献】
【０００４】
【特許文献１】特開２００５−１２６１４６
【発明の概要】
【発明が解決しようとする課題】
【０００５】
特許文献１に記載される吐出装置では、第１剤及び第２剤がそれぞれ収容された２つの容器に、ポンプ装置を取り付け、ポンプ装置に設けられたレバーの操作により、第１剤と第２剤とが等量混合された混合薬剤を毛髪に塗布するようにしている。ここでは、ポンプ装置のステムに、毛髪処理剤塗布具としてのブラシが取り付けられている。ブラシの基台には複数の櫛歯が立設されているとともに、基台の中央には各容器に連通する吐出孔が開口され、吐出孔から吐出された混合薬剤は、複数の櫛歯で保持されながら毛髪全体に塗布される。
【０００６】
特許文献１に記載される毛髪処理剤塗布具としてのブラシは、その基台が矩形状に形成されるとともに、容器からの毛髪処理剤吐出通路に連通する吐出孔が、矩形状の基台の長手方向に延びるように、かつ、毛髪処理剤吐出通路の直上で、該基台の中央に開口している。そして、複数の櫛歯は、吐出孔の周囲を囲むように、複数列立設されている。これにより、吐出孔から吐出された混合薬剤がブラシの基台の長手方向全体に行き渡り、吐出孔の周囲に立設された櫛歯に混合薬剤を保持できるようにしている。
【０００７】
しかし、従来のこのような毛髪処理剤塗布具では、薬剤を吐出する吐出孔が、基台に立設された複数列の櫛歯のうちの最内周に位置する櫛歯の内側において、長手方向に延びるように１箇所形成されているのみである。そのため、吐出した薬剤を、吐出孔の周囲に立設された最内周の櫛歯に保持させることは可能であるものの、その外周側に位置する櫛歯全体に、混合薬剤を万遍なく行き渡らせることが困難であった。その結果、毛髪に塗布する際に塗布ムラが生じやすくなり、毛髪処理剤の吐出性能、塗布性能の点で改善の余地があるものであった。
【０００８】
一方、２剤形式の毛髪染毛剤を塗布するための吐出装置として、２つのエアゾール容器にステムが連結され、操作片の押圧によりステムを開放させて各エアゾール容器から薬剤を吐出させるような吐出装置が知られている。このような吐出装置を使用する場合、使用者には、２つのエアゾール容器の各ステムを均等に開放するように操作片を押圧することが要求される。しかし、このような吐出装置に、吐出孔が基台の中央部にのみ形成された従来の毛髪処理剤塗布具を取着して使用するような場合、ステムの開放により吐出孔から勢いよく混合薬剤が吐出される場合があり、使用者は、操作片の押圧に対して躊躇してしまい、押圧力を制御してしまうことがある。そうすると、２つのエアゾール容器に連結されたステムの開放動作に差が生じ、２つの薬剤の吐出バランスが変わってしまうことがあった。その結果、第１剤と第２剤とが等量混合された混合薬剤とならず、適切な濃度、品質の混合薬剤が吐出されないといった事態が生じていた。この点からも、従来の毛髪処理剤塗布具は、吐出性能の点で改善の余地があるものであった。
【０００９】
本発明は、このような従来技術に存在する問題点に着目してなされたものである。その目的とするところは、薬剤の吐出性能に優れた毛髪処理剤塗布具を提供することである。
【課題を解決するための手段】
【００１０】
上記の目的を達成するために、請求項１に記載の発明は、毛髪処理剤が収容された容器に取り付けられる毛髪処理剤塗布具であって、吐出孔が形成された基台と、該基台から立設された複数の櫛歯を備え、前記吐出孔は、該毛髪処理剤塗布具が前記容器に取着された状態で該容器に連通する連通路の直上に位置するスリット状の主吐出孔と、前記連通路の直上とは異なる箇所に位置する従吐出孔からなることを要旨とする。
【００１１】
この構成によれば、連通路の直上に位置する主吐出孔に加えて、連通路の直上とは異なる箇所に位置する従吐出孔からも毛髪処理剤が吐出される。このため、主吐出孔のみが形成された従来の毛髪処理剤塗布具に比べて複数の櫛歯全体へ毛髪処理剤を効率よく行き渡らせることができて、毛髪処理剤の吐出性能が向上する。
【００１２】
また、主吐出孔と従吐出孔とを設けることで、毛髪処理剤の吐出圧力が分散され、主吐出孔のみが形成された場合に比べて毛髪処理剤の吐出スピードを緩和することができる。これにより、操作片の押圧により２つのエアゾール容器のそれぞれから均等に薬剤を吐出させるような吐出装置に取り付けた場合であっても、使用者が操作片の押圧操作において押圧力を制御してしまう事態が回避される。毛髪処理剤の吐出性能が向上することで、所望の濃度、品質の混合薬剤を容易に吐出させることができる。
【００１３】
複数の櫛歯全体へ行き渡った毛髪処理剤は、櫛歯全体で液だれすることなく保持されるため、毛髪処理剤の保持量が増加して、１回のコーミングでの塗布量が増加し、少ない回数のコーミングにより所望の量を毛髪に塗布することができる。また、櫛歯全体へ毛髪処理剤が万遍なく行き渡るため、毛髪に塗布する際のむらが生じにくくなり、塗布性能が向上する。
【００１４】
一方、毛髪処理剤の使用後には、毛髪処理剤塗布具に付着した毛髪処理剤を洗い流す操作を行う場合がある。主吐出孔と従吐出孔とを設ける構成によれば、洗い流す際の水流が毛髪処理剤塗布具全体に行き渡りやすくなり、洗浄性能が向上する。
【００１５】
請求項２に記載の発明は、請求項１に記載の発明において、前記櫛歯は、前記基台の内周側から外周側に複数列立設されており、前記主吐出孔は、最内周の櫛歯より内側に形成され、前記従吐出孔は、最外周の櫛歯より内側であって、最内周の櫛歯より外側又は最内周の櫛歯と同一列上に形成されていることを要旨とする。
【００１６】
この構成によれば、毛髪処理剤塗布具の基台には、複数列の櫛歯が立設され、毛髪処理剤は、最内周の櫛歯より内側に形成された主吐出孔と、最外周の櫛歯より内側であって最内周の櫛歯より外側又は最内周の櫛歯と同一列上に形成された従吐出孔から吐出される。これにより、最内周の櫛歯の外側に立設された櫛歯にも効率的に毛髪処理剤を行き渡らせることができる。主吐出孔のみが形成された従来の毛髪処理剤塗布具では、主吐出孔から吐出した毛髪処理剤は、最内周の櫛歯を乗り越えたり、最内周の櫛歯間から外側へ移動したりして、外側の櫛歯に到達する必要があり、外側の櫛歯ほど、毛髪処理剤が行き渡りにくく、吐出性能、塗布性能がよくないものであった。この点、従吐出孔が形成されることで、最内周の櫛歯と同一列位置又はその外側からも毛髪処理剤が吐出することから、複数列の櫛歯全体に万遍なく毛髪処理剤を行き渡らせることができる。また、従来の毛髪処理剤塗布具では、主吐出孔から勢いよく吐出した毛髪処理剤が、最内周の櫛歯を乗り越える際に最内周の櫛歯で保持しきれず、液だれする原因となっていたが、従吐出孔からの吐出により、主吐出孔から毛髪処理剤が勢いよく大量に吐出することが抑制され、液だれを好適に抑制することができる。
【００１７】
請求項３に記載の発明は、請求項２に記載の発明において、最内周の櫛歯の高さは、前記基台の上面から３〜８ｍｍであり、最外周の櫛歯の間隔は、０．６〜１．５ｍｍであり、前記複数の櫛歯は、略同一の高さに形成されていることを要旨とする。
【００１８】
この構成によれば、最内周の櫛歯の高さを基台の上面から３〜８ｍｍに設定することにより、櫛歯に薬剤を保持させやすく、１回のコーミングにより毛先まで薬剤を馴染ませることができる。また、薬剤が地肌につきにくく、塗布時の地肌汚れが抑制される。
【００１９】
また、最外周の櫛歯の間隔を０．６〜１．５ｍｍに設定することにより、最外周の櫛歯に十分な量の薬剤を保持することができるとともに、櫛歯間からの薬剤の液だれが抑制される。１回のコーミングにより毛先まで薬剤を馴染ませることができ、特に生え際や根元への薬剤塗布を好適に行うことができる。
【００２０】
さらに、最外周の櫛歯の高さは、他の櫛歯の高さと略同一の高さに形成されている。毛髪処理剤を毛髪に塗布する場合、毛髪処理剤塗布具が取り付けられた毛髪処理具を頭皮に対してやや傾けた形状で押し当ててコーミングすると、手首に無理な力がかからず、また、毛髪処理剤の液だれが起こりにくくなって塗布しやすい。ここでの略同一の高さとは、毛髪処理剤塗布具が取り付けられた毛髪処理具を頭皮に対して傾けた状態で当接させたときに、複数の櫛歯の高さが同一となっている状態を言う。
【００２１】
通常、毛髪処理具を頭皮に対して３０゜までの範囲内で傾けて、頭皮と毛髪処理具の軸線方向との角度が６０゜以上の状態で頭皮に当接させると、手首に無理な力がかからなくなって塗布しやすい。このような状態では、特に、最外周の櫛歯が毛髪の生え際に当接しやすくなり、生え際への塗布性能が向上する。したがって、ここでの略同一の高さとは、最外周の櫛歯の先端の高さが、最内周の櫛歯の先端の高さに対して±３０゜の範囲内にはいるように形成されていることを言うものとする。この構成によれば、最外周の櫛歯が頭皮にしっかりと当接するとともに、最外周の櫛歯から液だれが生じにくくなり、生え際や根元への塗布性能が向上する。
【００２２】
請求項４に記載の発明は、請求項１〜３のうちのいずれか一項に記載の毛髪処理剤塗布具が取り付けられてなる毛髪処理具であって、ステムを有するとともに毛髪処理剤が収容されたエアゾール容器と、前記毛髪処理剤塗布具と前記エアゾール容器を連結する連結具を備え、前記連結具には、前記ステムと前記毛髪処理剤塗布具に形成された前記吐出孔を連通する前記連通路が形成され、前記毛髪処理剤塗布具を押し下げることによって前記ステムが開放されて、前記エアゾール容器内の毛髪処理剤が、前記連通路を介して前記吐出孔から吐出されるように構成されていることを要旨とする。
【００２３】
この構成によれば、エアゾール容器に取り付けられた毛髪処理剤塗布具には、主吐出孔と従吐出孔とが形成されているため、毛髪処理剤塗布具を押し下げてステムを開放する操作により毛髪処理剤を吐出する際、主吐出孔と従吐出孔とから毛髪処理剤が分散して吐出される。したがって、主吐出孔のみから毛髪処理剤が勢いよく吐出される従来の毛髪処理具に比べて、毛髪処理剤の吐出の勢いが緩和され、使用者が毛髪処理剤の吐出操作を躊躇なく行うことができる。また、従吐出孔が形成されていることで、毛髪処理剤塗布具全体に毛髪処理剤が行き渡りやすくなる。これにより、毛髪処理具における毛髪処理剤の吐出性能が向上する。
【００２４】
請求項５に記載の発明は、請求項１〜３のうちのいずれか一項に記載の毛髪処理剤塗布具が取り付けられてなる毛髪処理具であって、可撓性を有するとともに毛髪処理剤が充填された樹脂容器を備え、前記樹脂容器をスクイズすることによって、前記樹脂容器内の毛髪処理剤が前記連通路を介して前記吐出孔から吐出されるように構成されていることを要旨とする。
【００２５】
この構成によれば、可撓性を有する樹脂容器に取り付けられた毛髪処理剤塗布具には、主吐出孔と従吐出孔とが形成されているため、毛髪処理剤を吐出する際、主吐出孔と従吐出孔とから毛髪処理剤が分散して吐出される。したがって、主吐出孔のみから毛髪処理剤が勢いよく吐出される従来の毛髪処理具に比べ、毛髪処理剤の吐出の勢いが軽減し、使用者が樹脂容器を躊躇なくスクイズすることができる。また、従吐出孔が形成されていることで、毛髪処理剤塗布具全体に毛髪処理剤が行き渡りやすくなる。これにより、毛髪処理具における毛髪処理剤の吐出性能が向上する。
【発明の効果】
【００２６】
本発明によれば、毛髪処理剤の吐出性能に優れた毛髪処理剤塗布具を提供することができる。
【図面の簡単な説明】
【００２７】
【図１】毛髪処理具の斜視図である。
【図２】毛髪処理具の構成部材の分解斜視図である。
【図３】毛髪処理具の要部断面図である。
【図４】毛髪処理剤塗布具を示す図である。（ａ）は斜視図、（ｂ）は上面図、（ｃ）は縦側面図、（ｄ）は横側面図である。
【図５】毛髪処理剤塗布具に立設された櫛歯の間隔を説明する図である。
【図６】毛髪処理剤塗布具の横側面の模式図である。
【図７】頭髪処理剤塗布具の吐出孔の変更例を示す模式図である。
【発明を実施するための形態】
【００２８】
以下、この発明を具体化した一実施形態を図面に従って説明する。
図１、図２に示すように、本実施形態の毛髪処理剤塗布具としてのブラシ体１は、２剤式の染毛剤を塗布するために使用され、キャップ体２、通路ブロック体３、及び装着体４を介して、染毛剤が収容された収容容器５に取り付けられている。ブラシ体１、キャップ体２、通路ブロック体３、装着体４、及び収容容器５により、毛髪処理剤を塗布する毛髪処理具が構成されている。
【００２９】
図１、図３に示すように、略円筒形状に形成された収容容器（エアゾール容器）５の内部には、加圧ガスが封入されるとともに、可撓性を有する樹脂材料で形成された２個のパウチ５１、５２が並設して収容されている。本実施形態では、一方のパウチ５１には、酸化染料を含有する薬剤である第１剤が収容され、他方のパウチ５２には、過酸化水素等の酸化剤を含有する薬剤である第２剤が収容されている。なお、パウチ５１、５２は、樹脂材料のみで形成されているものに限られず、樹脂材料にアルミを積層して形成されているもの等、他の材質のものであってもよい。
【００３０】
図３に示すように、収容容器５の上部は蓋部５３で閉塞され、蓋部５３上面からは、２つのステム５１ｂ、５２ｂが上下方向に移動可能に立設されている。また、各パウチ５１、５２の内部には、それぞれディップチューブ５１ａ、５２ａが配設されており、各ディップチューブ５１ａ、５２ａの先端は、ステム５１ｂ、５２ｂに連通している。各パウチ５１、５２の内部に収容された薬剤は、図示しない開閉弁の作動により各ステム５１ｂ、５２ｂが開放されるとともに、収容容器５内に封入された加圧ガスのガス圧により吐出可能に構成されている。以下の説明では、便宜上、図１において、２個のパウチ５１、５２の並設方向を左右方向とし、並設方向に直交する方向を前後方向とし、２個のパウチ５１、５２の軸線方向を上下方向とする。
【００３１】
図２、図３に示すように、装着体４は、並列配置されたパウチ５１、５２の上端部に外嵌する略円筒状の外装筒４１と、外装筒４１の内側に形成される円筒状の内装筒４２と、内装筒４２の上端から内鍔状に連設される内装頂面４３とを備え、内装頂面４３の中央部には、円形状の開口部４４が形成されている。外装筒４１の前後表面のそれぞれには、下端縁から矩形状に切り欠かれた切欠き部４６が形成されているとともに、切欠き部４６の左右の各側壁４６ｂから上方へ延びるように連設される一対の支え突片４５が形成されている。支え突片４５の左右方向の幅は、切欠き部４６の左右方向の幅と略同一となっている。
【００３２】
装着体４は、収容容器５の上端部に組み付けられた状態では、内装筒４２の下方部分が収容容器５の蓋部５３に外嵌合し、内装頂面４３の下面が収容容器５の蓋部５３の上面に当接して、収容容器５を不動に保持している。この状態で、装着体４の内装頂面４３は、パウチ５１、５２の並設方向に沿って水平となるとともに、切欠き部４６の上縁４６ａも同様に水平となり、装着体４の開口部４４から、収容容器５の各ステム５１ｂ、５２ｂが突出している。
【００３３】
通路ブロック体３は、キャップ体２の内側に装着されて、パウチ５１、５２の各ディップチューブ５１ａ、５２ａから収容容器５のステム５１ｂ、５２ｂを介して吐出された各薬剤を、ブラシ体１に連通させるものである。図２、図３に示すように、通路ブロック体３の下面の左右両端部には、一対の段付き孔３１、３２が下方に向かって開口し、上面の中央には、上方に向かって開口する注出孔３３を備えた注出筒３４が立設されている。そして、通路ブロック体３の内部には、一対の段付き孔３１、３２と、注出孔３３を連通する薬剤通路３５が形成されている。これにより、各パウチ５１、５２の各ディップチューブ５１ａ、５２ａから収容容器５のステム５１ｂ、５２ｂを介して吐出された各薬剤は、段付き孔３１、３２から薬剤通路３５を通って注出孔３３に至るまでに混合され、毛髪処理剤として注出孔３３から吐出される。
【００３４】
また、注出筒３４の注出孔３３上方には、多数の傾斜した鍔状片３７を備えた混合棒片３６が立設されている。これにより、注出孔３３から吐出した毛髪処理剤（染毛剤）が、混合棒片３６の鍔状片３７に当たることにより、効率よく、またムラなく混合されるように構成されている。
【００３５】
キャップ体２は、その内側に通路ブロック体３が装着されるとともに、収容容器５に外嵌される装着体４とブラシ体１とを連結する部材として機能している。キャップ体２は、装着体４の外装筒４１の上方部分に、その下方部分が外嵌するとともに、上端部にブラシ体１が取り付けられる筒本体２１と、筒本体２１の内側に形成される内筒体２２とを備えている。
【００３６】
筒本体２１は、その上端から内鍔状に連設された頂面２３と、頂面２３から斜め上方に立設して上方からブラシ体１が取り付けられる長円筒状の外装着体２４と、外装着体２４の内側に形成される内装着体２５を備えている。外装着体２４の外周面の下方部分には、外方へ突出する突条部２４ａが、外装着体２４の外周面全周にわたって形成されている。頂面２３は、左右方向の水平面から略３０゜傾斜するような形状に形成されている。
【００３７】
また、内装着体２５の内側には、内装着体２５の上端部より低い位置を繋ぐ装着体頂壁２６が形成され、装着体頂壁２６の長手方向中央部分で、かつ、短手方向中央部分には孔部２７が開口している。孔部２７の下方には、通路ブロック体３の注出筒３４が内嵌される通路筒体２８が垂設されている。通路筒体２８に注出筒３４が内嵌された状態で、通路筒体２８の内周面と注出筒３４の外周面は摺接しており、通路ブロック体３の混合棒片３６の先端が、孔部２７近傍に位置するように構成されている。ここでは、本実施形態の孔部２７及び通路筒体２８は、請求項で規定する連通路に相当する。
【００３８】
さらに、筒本体２１の前後には、その下端部のそれぞれから下方へ垂下する操作片２９が形成されている。各操作片２９は、使用者が指で把持して前後方向に押圧することにより、キャップ体２をブラシ体１、通路ブロック体３とともに下方移動させて、収容容器５のステム５１ｂ、５２ｂに設けられた開閉弁の作動により、各ディップチューブ５１ａ、５２ａを介して各ステム５１ｂ、５２ｂから薬剤を吐出可能に構成されている。図１に示すように、キャップ体２を装着体４に取り付けた状態では、操作片２９が、装着体４の外装筒４１の前後表面の中央部に形成された一対の支え突片４５間に保持されている。
【００３９】
図２に示すように、各操作片２９の下端部内面には、一対の突条２９ａが形成されている。突条２９ａは、その上面が下降傾斜した形状に形成され、キャップ体２を装着体４に取り付け、装着体４の外装筒４１を収容容器５に外嵌した状態で、突条２９ａの上面が、装着体４の切欠き部４６の上縁４６ａに当接している。これにより、使用者が各操作片２９を前後方向に押圧すると、装着体４の切欠き部４６の上縁４６ａに当接している各操作片２９の傾斜面（突条２９ａの上面）の作用により、キャップ体２が通路ブロック体３とともに下方へ押し下げられ、収容容器５のステム５１ｂ、５２ｂが押し下げられて開放弁が開放され、ステム５１ｂ、５２ｂから各薬剤が吐出される。
【００４０】
次に、毛髪処理剤塗布具としてのブラシ体１について説明する。ブラシ体１は、キャップ体２に着脱自在に組み付け固定され、キャップ体２、通路ブロック体３、装着体４を介して収容容器５に取り付けられている。本実施形態では、ブラシ体１と収容容器５を連結するキャップ体２、通路ブロック体３、装着体４が、請求項で規定する連結具に相当する。
【００４１】
図２、図４（ａ）に示すように、ブラシ体１は、基台１１に複数の櫛歯１７が立設されて形成されている。基台１１は、長円筒状の側壁１２と、側壁１２の上端から内鍔状に連設された頂壁１３と、頂壁１３の長円形状の内周縁からドーム状に立設されたドーム部１４とにより、全体が略ドーム形状に形成されている。
【００４２】
図３に示すように、側壁１２の内側には、ドーム部１４の外縁近傍から垂下する長円筒状の嵌合片１５が形成されている。また、側壁１２の内周面下端には、外方へ突出する突部１２ａが、側壁１２の内周面全周にわたって形成されている。
【００４３】
ブラシ体１をキャップ体２に取り付けた状態では、ブラシ体１の側壁１２の下端部がキャップ体２の外装着体２４に外嵌され、嵌合片１５の下端部がキャップ体２の内装着体２５に外嵌されて外装着体２４と内装着体２５との間に位置するように構成されている。ブラシ体１の側壁１２内周面の突部１２ａは、キャップ体２の外装着体２４外周面の突条部２４ａを乗り越え、突部１２ａと突条部２４ａとが係合することにより、ブラシ体１がキャップ体２に対して脱落しないように取着される。また、この状態では、ブラシ体１の頂壁１３は、収容容器５の軸線方向に直交する方向に対して、略３０゜傾斜するように取り付けられている。
【００４４】
ブラシ体１のドーム部１４の内面には、ドーム状の空間が形成され、ブラシ体１をキャップ体２に取り付けた状態では、ドーム部１４の長手方向中央部分で、かつ、短手方向中央部分に、キャップ体２の孔部２７が開口するように構成されている。
【００４５】
図４（ｂ）、図４（ｃ）に示すように、本実施形態のブラシ体１は、長手方向（左右方向）の長さｍ１が約４０ｍｍ、短手方向（前後方向）の長さｎ１が約２０ｍｍ、側壁１２の高さｈ１が約８ｍｍ、ドーム部１４の高さｈ２が約６ｍｍに形成されている。
【００４６】
ブラシ体１のドーム部１４には、染毛剤を吐出するための吐出孔１６が複数貫設されている。ドーム部１４の短手方向中央部分には、長手方向に延びるスリット状の主吐出孔１６ａが形成されている。主吐出孔１６ａは、ドーム部１４において最も高い部分に形成され、ブラシ体１をキャップ体２に取り付けた状態では、主吐出孔１６ａの長手方向中央部分が、キャップ体２の孔部２７の直上に位置するように形成されている。本実施形態では、主吐出孔１６ａの長手方向（左右方向）の長さｍ２が約３０ｍｍ、幅（前後方向の長さ）ｎ２が約１ｍｍに形成されている。
【００４７】
スリット状の主吐出孔１６ａの前後には、主吐出孔１６ａに沿うように、円形状の従吐出孔１６ｂが複数形成されている。本実施形態では、主吐出孔１６ａの前後に、同形状で同じ大きさの従吐出孔１６ｂが６個ずつ形成されている。従吐出孔１６ｂは、いずれもドーム部１４の傾斜部分に形成され、ブラシ体１をキャップ体２に取り付けた状態では、キャップ体２の孔部２７の直上とは異なる箇所に位置している。本実施形態では、各従吐出孔１６ｂの直径は約２ｍｍに形成されている。
【００４８】
ブラシ体１のドーム部１４には、吐出孔１６から吐出された染毛剤を保持して、頭皮に塗布するための複数の櫛歯１７が立設されている。すべての櫛歯１７は、先端が丸みを帯びた中実体の筒状に形成されている。また、すべての櫛歯１７は、ブラシ体１の頂壁１３に対して直交する方向に立設されており、ブラシ体１をキャップ体２に取り付けた状態では、毛髪処理具の斜め上方（上下方向から略３０゜傾斜した方向）へ向けて延びている。
【００４９】
図４（ａ）〜（ｃ）に示すように、本実施形態の櫛歯１７は、主吐出孔１６ａの周囲に立設される第１櫛歯１７ａと、従吐出孔１６ｂの外側に立設される第２櫛歯１７ｂとで構成されている。
【００５０】
本実施形態の第１櫛歯１７ａは、主吐出孔１６ａの長手方向両端部に立設される２本の櫛歯と、主吐出孔１６ａの前後に６個ずつ形成された従吐出孔１６ｂの内側であって、その左右に位置するように立設される前後それぞれ７本の櫛歯とで構成されている。いずれの第１櫛歯１７ａも略円筒形状に形成されている。従吐出孔１６ｂの内側であって、その左右に位置するように立設される第１櫛歯１７ａは、その先端部の間隔が従吐出孔１６ｂの間隔（隣接する従吐出孔１６ｂの中心同士の間隔）と同一とされ、本実施形態では、約５ｍｍに設定されている。また、隣接する第１櫛歯１７ａにおける対向する側面の間隔（隣接する第１櫛歯１７ａ間に形成される隙間）は、約４ｍｍに設定されている。
【００５１】
一方、第２櫛歯１７ｂは、従吐出孔１６ｂの外側で、ブラシ体１の長手方向に沿う方向に複数立設されている。第２櫛歯１７ｂは、略円筒形状であって第１櫛歯１７ａより細径に形成され、また、その間隔も第１櫛歯１７ａより密になっている。図５に示すように、隣接する第２櫛歯１７ｂにおける対向する側面の間隔（隣接する第２櫛歯１７ｂ間に形成される隙間）ｐは、０．６〜１．５ｍｍに形成されている。ここで、本実施形態における隣接する第２櫛歯１７ｂにおける対向する側面の間隔（隣接する第２櫛歯１７ｂ間に形成される隙間）ｐは、請求項で規定する最外周の櫛歯の間隔に相当する。
【００５２】
図４（ｄ）に示すように、第１櫛歯１７ａの高さは、染毛剤を第１櫛歯１７ａで良好に保持し、また、塗布しやすくするために、ドーム部１４において最も高い部分から、３〜８ｍｍに形成されている。ここで、ドーム部１４において最も高い部分は、請求項で規定する基台１１の上面に相当する。つまり、第１櫛歯１７ａの基台１１の上面からの高さｈ３は、３〜８ｍｍに形成されている。
【００５３】
また、図６に示すように、第１櫛歯１７ａ、第２櫛歯１７ｂの高さは、ブラシ体１の天面において、略同一となるように形成されている。実際に毛髪処理具を使用して染毛剤を塗布する場合、使用者は、毛髪処理具を頭皮に対して±３０゜程度傾けた状態で塗布を行う場合が多い。こうすると、手首に無理な力がかからず、また、染毛剤の液だれが起こりにくくなって塗布性能の観点から好ましい。したがって、ここでの高さが略同一とは、毛髪処理剤塗布具としてのブラシ体１を頭皮に対して±３０゜程度傾けた状態での高さが同一であること、すなわち、第１櫛歯１７ａと第２櫛歯１７ｂの高さが、ブラシ体１の天面において、±３０゜の範囲内であることを言うものとする。
【００５４】
なお、ブラシ体１は、ポリプロピレン、直鎖状低密度ポリエチレン、低密度ポリエチレン、中密度ポリエチレン、高密度ポリエチレン、アクリロニトリルーブタジエンースチレン（ＡＢＳ）共重合体、アクリロニトリルースチレン（ＡＳ）共重合体、ポリスチレン、ポリカーボネート等、従来公知の合成樹脂材料で形成することができる。染毛剤の塗布時に、第１櫛歯１７ａ及び第２櫛歯１７ｂを頭皮に沿わせやすく、毛髪上を滑らかに移動させる点から、引っ張りや伸びに強く、可撓性を有する合成樹脂材料であることが好ましい。
【００５５】
上記のように構成された毛髪処理具と、毛髪処理剤塗布具としてのブラシ体１の作用について説明する。
本実施形態の毛髪処理具では、使用者がキャップ体２の操作片２９を押圧すると、キャップ体２の操作片２９内面に形成された突条２９ａの傾斜面の作用により、キャップ体２が通路ブロック体３とともに下方へ押し下げられる。これにより、収容容器５のステム５１ｂ、５２ｂの開閉弁が開放され、各パウチ５１、５２に収容された各薬剤が吐出される。各薬剤は、通路ブロック体３の段付き孔３１、３２から薬剤通路３５を通って注出筒３４に至ることにより混合され、注出筒３４上方の混合棒片３６の鍔状片３７によりさらに混合されて、キャップ体２の孔部２７からブラシ体１のドーム部１４内に吐出される。
【００５６】
ドーム部１４において最も高い部分であって、連通路としての孔部２７及び通路筒体２８の直上には主吐出孔１６ａが形成され、ドーム部１４の傾斜部分であって、連通路としての孔部２７及び通路筒体２８の直上とは異なる箇所には複数の従吐出孔１６ｂが形成されている。孔部２７から吐出された染毛剤は、ドーム部１４内に拡がり、これら主吐出孔１６ａ、従吐出孔１６ｂから吐出される。このように、ドーム部１４において、染毛剤が吐出する箇所がドーム部１４全体に分散して形成されていることから、染毛剤の吐出圧力が主吐出孔１６ａ、従吐出孔１６ｂで平均化される。
【００５７】
連通路の直上に位置する箇所にのみ吐出孔が形成された従来の塗布具では、染毛剤が１つの吐出孔から勢いよく吐出される事態が生じるが、ドーム部１４に主吐出孔１６ａと従吐出孔１６ｂとが形成された本実施形態のブラシ体１では、染毛剤が勢いよく各吐出孔１６ａ、１６ｂから吐出する事態が回避される。従吐出孔１６ｂが、主吐出孔１６ａからの混合薬剤の吐出を補助する作用をし、主吐出孔１６ａからの混合薬剤の吐出スピードを緩和させることができる。
【００５８】
主吐出孔１６ａは、ブラシ体１の基台１１の長手方向にスリット状に形成されていることから、主吐出孔１６ａから吐出された染毛剤は、主吐出孔１６ａの周囲に立設された第１櫛歯１７ａに沿って、複数の第１櫛歯１７ａ全体に効率よく行き渡る。また、従吐出孔１６ｂは、第１櫛歯１７ａの外側であって、第２櫛歯１７ｂの内側に形成されていることから、従吐出孔１６ｂから吐出された染毛剤は、従吐出孔１６ｂの外側に立設された第２櫛歯１７ｂ全体に効率よく行き渡る。さらに、主吐出孔１６ａから吐出された染毛剤の一部は、第１櫛歯１７ａ間を通って第２櫛歯１７ｂにも行き渡る。このようにして、主吐出孔１６ａと従吐出孔１６ｂとから吐出された染毛剤は、内側の第１櫛歯１７ａと外側の第２櫛歯１７ｂとに効率よく行き渡る。
【００５９】
外側に形成された第２櫛歯１７ｂは、隣接する第２櫛歯１７ｂ間に形成される隙間ｐが、０．６〜１．５ｍｍに形成されており、第１櫛歯１７ａ間に形成される隙間より狭くなっている。これにより、各第２櫛歯１７ｂ間には吐出された染毛剤が好適に保持される。染毛剤の粘性粘度に合わせて第２櫛歯１７ｂの隙間ｐを適切に設定することで、染毛剤の保持力が向上し、吐出された染毛剤が第２櫛歯１７ｂから漏れることが抑制される。
【００６０】
また、第２櫛歯１７ｂは、第１櫛歯１７ａとその高さが略同一となるように立設されていることから、例えば、ブラシ体１を頭皮に当接させて染毛剤を生え際に塗布するような場合、第２櫛歯１７ｂの先端が、毛髪の生え際にしっかりと当接される。
【００６１】
上記のように構成された毛髪処理剤塗布具としてのブラシ体１によれば、次に示す効果を得ることができる。
（１）連通路の直上に位置する箇所にのみ吐出孔が形成された従来の塗布具では、外側に位置する櫛歯には、染毛剤は、内側に位置する櫛歯の隙間を通りぬけるか内側に位置する櫛歯を乗り越えるかして到達することになるため、染毛剤が外側に位置する櫛歯に十分に行き渡りにくい。この点、従吐出孔１６ｂが形成された本実施形態のブラシ体１によれば、従吐出孔１６ｂからの染毛剤の吐出により、外側の第２櫛歯１７ｂにも効率的に染毛剤を行き渡らせることができる。従吐出孔１６ｂが形成されていることにより、ブラシ体１からの染毛剤の吐出性能が向上する。
【００６２】
（２）連通路の直上に位置する箇所にのみ吐出孔が形成された従来の塗布具では、使用者の操作片の押圧操作により染毛剤を吐出させると、１つの吐出孔に圧力が集中して、染毛剤が勢いよく吐出される事態が生じやすい。使用者は、染毛剤が勢いよく吐出される事態を予見して、操作片の押圧操作を躊躇して十分に押圧しない場合があり、２個のパウチからの薬剤の吐出バランスが崩れてしまうことがある。この点、従吐出孔１６ｂが形成された本実施形態のブラシ体１によれば、染毛剤の吐出圧力が主吐出孔１６ａと従吐出孔１６ｂとで分散し、連通路（孔部２７及び通路筒体２８）の直上に位置する主吐出孔１６ａから染毛剤が勢いよく吐出する事態が軽減する。これにより、使用者が操作片２９の押圧操作に躊躇しなくなり、適切な圧力で操作片２９を操作することができる。その結果、収容容器５の各ステム５１ｂ、５２ｂにおける開閉弁の開放動作が均等となって、薬剤の吐出バランスが良好となり、適切な濃度、品質で染毛剤を吐出させることができる。従吐出孔１６ｂが形成されていることにより、ブラシ体１からの染毛剤の吐出性能が向上する。
【００６３】
（３）連通路の直上に位置する箇所にのみ吐出孔が形成された従来の塗布具では、外側に位置する櫛歯に染毛剤を十分に行き渡らせるために、吐出孔から多くの染毛剤を吐出させようとする場合がある。そうすると、吐出孔から吐出された染毛剤が内側に位置する櫛歯を超えて盛り上がり、塗布具から液だれするといった不都合が生じる。この点、従吐出孔１６ｂが形成された本実施形態のブラシ体１によれば、従吐出孔１６ｂからの染毛剤の吐出により、主吐出孔１６ａから染毛剤の吐出量が抑えられるとともに、主吐出孔１６ａから多くの染毛剤を吐出させなくても外側の第２櫛歯１７ｂに染毛剤が十分に行き渡る。染毛剤が第１櫛歯１７ａを超えて盛り上がって液だれするといった事態が抑制されるとともに、外側の第２櫛歯１７ｂに効率的に染毛剤を吐出することができる。
【００６４】
（４）従吐出孔１６ｂからの染毛剤の吐出により、外側の第２櫛歯１７ｂに効率的に染毛剤を保持させることができることから、一度に塗布できる量が増大して、少ないコーミング数で効率的に染毛剤を塗布することができる。従吐出孔１６ｂから第２櫛歯１７ｂへ効率よく染毛剤が行き渡るため、第１櫛歯１７ａ及び第２櫛歯１７ｂ全体に染毛剤が好適に保持される。これにより、塗布ムラが生じることが抑制され、従来の塗布具に比べて、染毛剤の塗布性能が向上する。
【００６５】
（５）第２櫛歯１７ｂの間に形成される隙間ｐが、０．６〜１．５ｍｍに形成されていることから、各第２櫛歯１７ｂ間で染毛剤が好適に保持される。これにより、ブラシ体１に保持されて一度に塗布できる量が増大し、少ないコーミング数で効率的に染毛剤を塗布することができる。また、ブラシ体１での染毛剤の保持量が増大することから、ブラシ体１からの液だれが生じにくくなり、皮膚への染毛剤の付着が抑制される。この点からも、従来の塗布具に比べて塗布性能が向上する。
【００６６】
（６）本実施形態のブラシ体１では、第２櫛歯１７ｂは、第１櫛歯１７ａとその高さが略同一となるように立設されている。これにより、ブラシ体１を頭皮に当接させて、染毛剤を毛髪の根元、生え際に塗布するような場合、第２櫛歯１７ｂが毛髪の生え際にしっかりと当接される。したがって、第２櫛歯１７ｂに保持された染毛剤を生え際にしっかりと塗布することができ、根元、生え際での塗布性能が向上する。また、第２櫛歯１７ｂの間に形成される隙間ｐが、０．６〜１．５ｍｍに形成されて第２櫛歯１７ｂに染毛剤が好適に保持される点からも、根元、生え際への塗布性能が向上する。
【００６７】
（７）本実施形態のブラシ体１では、主吐出孔１６ａに加えて従吐出孔１６ｂが形成されていることから、使用後にブラシ体１を洗浄する際、ブラシ体１全体に水が行き渡りやすくなる。従吐出孔１６ｂの位置を効果的に設定することで、ブラシ体１全体の汚れをしっかりと落とすことができる。ブラシ体１の洗浄性能が向上する。
【００６８】
上記実施形態は、以下の態様で実施してもよく、以下の態様を適宜組み合わせて実施してもよい。
・  従吐出孔１６ｂは、主吐出孔１６ａの長手方向に沿うように前後に円形状のものを各６個形成したが、その数、形状はこれに限定されない。三角形状、四角形状、楕円形状、或いは不定形状であってもよく、前後でその数が同数であっても異なっていてもよい。また、図７（ａ）に示すように、従吐出孔１６ｂを主吐出孔１６ａのようにスリット状としてもよく、図７（ｂ）に示すように、長四角形状の孔を、基台１１の側壁１２の外形状に沿うように放射状に配置してもよい。
【００６９】
・  主吐出孔１６ａは、幅が約１ｍｍのスリット状に形成したが、図７（ｂ）、図７（ｃ）に示すように、幅が変化するようなスリット状に形成してもよい。
・  従吐出孔１６ｂは、主吐出孔１６ａと別個に形成したが、図７（ｄ）、図７（ｅ）に示すように、主吐出孔１６ａに連通するように形成してもよい。この場合、連通路としての孔部２７の直上に位置する部分を主吐出孔１６ａとし、それ以外の部分を従吐出孔１６ｂというものとする。或いは、図７（ｆ）に示すように、主吐出孔１６ａ、従吐出孔１６ｂを複数のスリット状に形成してもよい。
【００７０】
・  本実施形態では、内側に第１櫛歯１７ａが配置され、外側に第２櫛歯１７ｂが配置され、内周側から外周側へ２列の櫛歯列が立設される構成としたが、第１櫛歯１７ａと第２櫛歯１７ｂとの間に、さらに複数本、複数列の櫛歯を配置して、３列、４列の櫛歯列が立設される構成としてもよい。その場合、それぞれの櫛歯列の間に従吐出孔１６ｂを形成してもよく、櫛歯列の間の一部に従吐出孔１６ｂを形成してもよい。
【００７１】
・  本実施形態では、従吐出孔１６ｂを第１櫛歯１７ａより外側に形成したが、第１櫛歯１７ａと同一列上に形成してもよい。つまり、各第１櫛歯１７ａの間に、各従吐出孔１６ｂが形成してる構成としてもよい。
【００７２】
・  本実施形態では、第１櫛歯１７ａの高さを、ドーム部１４の最も高い部分（基台１１の上面）から３〜８ｍｍとしたが、これに限定されない。ブラシ体１の材質、第１櫛歯１７ａの径、染毛剤の粘性粘度等によって、適宜変更することができる。
【００７３】
・  本実施形態のブラシ体１は、長円筒状の側壁１２、頂壁１３、ドーム状のドーム部１４により略ドーム形状に形成されているが、ブラシ体１の形状はこれに限定されない。また、ブラシ体１の外形寸法ｍ１、ｎ１、ｈ１、ｈ２、主吐出孔１６ａの寸法ｍ２、ｎ２、従吐出孔１６ｂの寸法も適宜変更することができる。
【００７４】
・  本実施形態では、第１櫛歯１７ａ、第２櫛歯１７ｂをともに略円筒形状に形成したが、それぞれの形状はこれに限定されない。いずれの櫛歯も、略三角筒形状、略四角筒形状等の略多角形筒状としてもよく、これらを組み合わせてもよく、また、先端ほど細い形状としてもよい。
【００７５】
・  本実施形態では、第２櫛歯１７ｂの間の隙間ｐを、０．６〜１．５ｍｍとしたが、これに限定されない。染毛剤の粘性粘度等によって適宜変更することができる。
・  本実施形態では、２個のパウチ５１、５２からなり、ステムの開閉弁を開放することによって染毛剤を吐出させる毛髪処理具について説明したが、ブラシ体１を装着するのはこれに限定されない。従来公知のエアゾール容器を適宜選択してブラシ体１を装着することができる。
【００７６】
また、例えば、可撓性を有する樹脂容器に染毛剤が充填され、樹脂容器をスクイズすることによって染毛剤を吐出させる毛髪処理具に、上記ブラシ体１を装着することもできる。この場合、例えば、ブラシ体１と樹脂容器との間には、樹脂容器の開口とブラシ体１の吐出孔１６ａ、１６ｂとを連通する連通路が形成された連結具が連結され、樹脂容器をスクイズすることによって、樹脂容器の開口から吐出された染毛剤が、連結具の連結路を介して、ブラシ体１の吐出孔１６ａ、１６ｂから吐出されるように構成すればよい。なお、連結具を用いることなく染毛剤を吐出するように構成してもよい。
【００７７】
・  本実施形態では、ブラシ体１で塗布する毛髪処理剤として、酸化染料を含有する薬剤と、過酸化水素等の酸化剤を含有する薬剤とを混合してなる染毛剤を例に挙げて説明したが、毛髪処理剤としては、他の成分からなる染毛剤を適用することもできる。また、染毛剤以外にも、毛髪の脱色剤、脱染剤、或いはパーマ処理剤等、各種毛髪処理剤を塗布する場合に適用することができる。
【実施例】
【００７８】
次に、上記実施形態をさらに具体的に説明する。
以下の実施例では、ブラシ体１に立設された第１櫛歯１７ａの高さ、隣接する第２櫛歯１７ｂにおける対向する側面の間隔（隣接する第２櫛歯１７ｂ間に形成される隙間）ｐ、第１櫛歯１７ａと第２櫛歯１７ｂとの高さの関係について説明する。
【００７９】
（実施例１）
ここでは、ブラシ体１に立設された第１櫛歯１７ａの高さについて説明する。第１櫛歯１７ａの基台１１の上面からの高さが３ｍｍ、５ｍｍ、８ｍｍに形成されたブラシ体１を調製し、それぞれのブラシ体１を、上記実施形態で説明した毛髪処理具に取り付けて使用した場合について検討した。
【００８０】
検討項目は、毛髪根元への塗布性能、その際の地肌の汚れとした。それぞれの項目について、３段階の官能評価を行った。毛髪根元への塗布性能に関しては、塗布１回で根元にぴったりと塗布できた場合を○、塗布１回では根元にぴったりと塗布しにくいが、許容範囲内である場合を△、数度の塗布でも根元にぴったりとは塗布できず、許容範囲外である場合を×として評価した。地肌の汚れに関しては、地肌汚れが発生しない場合を○、地肌汚れが多少発生するが、許容範囲内である場合を△、地肌汚れが目立ち、許容範囲外である場合を×として評価した。その結果を表１に示す。
【００８１】
【表１】
0006654005.tif 000002
この結果より、第１櫛歯１７ａが３ｍｍ未満の場合には、地肌汚れが起きやすくなった。また第１櫛歯１７ａが８ｍｍを超える場合には、根元への良好な塗布性能が確保できなかった。
【００８２】
（実施例２）
ここでは、ブラシ体１に立設された第２櫛歯１７ｂの間隔について説明する。図５で示すように、隣接する第２櫛歯１７ｂにおける対向する側面の間隔（隣接する第２櫛歯１７ｂ間に形成される隙間）ｐが、０．５ｍｍ、０．８ｍｍ、１．０ｍｍ、１．５ｍｍに形成されたブラシ体１を調製し、それぞれのブラシ体１を、上記実施形態で説明した毛髪処理具に取り付けて使用した場合について検討した。
【００８３】
検討項目は、第２櫛歯１７ｂ間からのワキ漏れ、１回のコーミングでの塗布量、混合薬剤（染毛剤）の混合性能、洗浄性能とした。それぞれの項目について、３段階の官能評価を行った。ワキ漏れに関しては、ワキ漏れがまったく認められない場合を○、多少発生するが許容範囲内である場合を△、多量に発生し許容範囲外である場合を×として評価した。１回のコーミングでの塗布量に関しては、塗布量が適正な場合を○、塗布量が多めもしくは少なめではあるが許容範囲内である場合を△、塗布量が多すぎるが少なすぎて許容範囲外である場合を×として評価した。混合薬剤（染毛剤）の混合性能に関しては、１回のコーミングで十分に混合できている場合を○、１回のコーミングでは多少まだらになっているが許容範囲内である場合を△、１回のコーミングではほとんど混合しない場合を×として評価した。洗浄性能に関しては、ブラシ体１全体の汚れが十分に落ちている場合を○、一部汚れが残っているが許容範囲内である場合を△、汚れが残っており許容範囲外である場合を×として評価した。なお、ワキ漏れは製剤の粘性粘度によって変わることから、この実施例では、粘度が約１１０００ｍＰａ・ｓの薬剤を使用した。その結果を表２に示す。
【００８４】
【表２】
0006654005.tif 000003
この結果より、第２櫛歯１７ｂの間隔が０．５ｍｍ未満の場合には、１回のコーミングでの塗布量が少なめであったが、許容範囲内であった。一方、第２櫛歯１７ｂの間隔が１．５ｍｍを超える場合には、ワキ漏れが観察され、１回のコーミングでの塗布量が多めであり、１回のコーミングで混合薬剤が多少まだらになっていたが、いずれも許容範囲内であった。
【００８５】
（実施例３）
ここでは、ブラシ体１に立設された第１櫛歯１７ａと第２櫛歯１７ｂとの高さの関係性について説明する。実際に毛髪処理具を持って毛髪の生え際に染毛剤を塗布するような場合、作業性を考慮すると、毛髪処理具の傾きは頭皮に対して垂直方向から±３０゜の範囲内となっていることが好ましい。このような角度で頭皮に当接させると、腕に無理な負担がかかったり、持ち手に薬剤が付着することが抑制される。
【００８６】
そこで、第１櫛歯１７ａと第２櫛歯１７ｂとが前後方向に間隔を開けて立設されたブラシ体１において、第２櫛歯１７ｂの先端の高さが、第１櫛歯１７ａの先端の高さに対して、±３０゜の範囲内となるように形成して、その塗布性能について検討した。具体的には、第１櫛歯１７ａと第２櫛歯１７ｂとが前後方向に３．３ｍｍの間隔で立設されたブラシ体１において、ブラシ体１を取り付けた毛髪処理具を±３０゜の範囲内で傾斜させた状態で頭皮に当接させたとき、第１櫛歯１７ａと第２櫛歯１７ｂとが同一の高さになるよう、第２櫛歯１７ｂの先端の高さが、第１櫛歯１７ａの先端の高さに対して±１．９ｍｍの範囲内となるように調製した。第１櫛歯１７ａの高さに対して、第２櫛歯１７ｂの高さが＋１．９ｍｍ、＋０．５ｍｍ、−０．５ｍｍ、−１．９ｍｍに形成されたブラシ体１を調製し、それぞれのブラシ体１を、上記実施形態で説明した毛髪処理具に取り付けて使用した場合について検討した。
【００８７】
検討項目は、毛髪生え際への塗布性能、毛先への馴染ませやすさとした。それぞれの項目について、３段階の官能評価を行った。毛髪生え際への塗布性能に関しては、生え際への染毛剤塗布が良好な場合を○、生え際への染毛剤塗布が若干しにくいが、許容範囲内である場合を△、生え際への染毛剤塗布がしにくく、許容範囲外である場合を×として評価した。毛先への馴染ませやすさに関しては、１回のコーミングで毛先まで染毛剤を馴染ませることができる場合を○、１回のコーミングでは毛先まで染毛剤を馴染ませることはできないが、許容範囲内である場合を△、数度のコーミングでも毛先まで染毛剤を馴染ませることができず、許容範囲外である場合を×として評価した。その結果を表３に示す。
【００８８】
【表３】
0006654005.tif 000004
第２櫛歯１７ｂの高さが、第１櫛歯１７ａの高さに対して−１．９ｍｍの場合、つまり、第２櫛歯１７ｂの先端の高さが、第１櫛歯１７ａの先端の高さより１．９ｍｍ低く形成された場合には、生え際での染毛剤の混合性がやや悪く、塗布具が汚れやすく、生え際への染毛剤塗布が若干しにくかったものの、許容範囲内であった。また、第２櫛歯１７ｂの高さが、第１櫛歯１７ａの高さに対して＋１．９ｍｍの場合、つまり、第２櫛歯１７ｂの先端の高さが、第１櫛歯１７ａの先端の高さより１．９ｍｍ高く形成された場合には、外側の第２櫛歯１７ｂが撓みやすくてコーミングしにくかったものの、許容範囲内であった。
【符号の説明】
【００８９】
１…ブラシ体（毛髪処理剤塗布具）、２…キャップ体（連結具）、３…通路ブロック体（連結具）、４…装着体（連結具）、５…収容容器（容器、エアゾール容器）、１１…基台、１６ａ…主吐出孔、１６ｂ…従吐出孔、１７、１７ａ、１７ｂ…櫛歯、２７…孔部（連通路）、２８…通路筒体（連通路）、５１、５２…パウチ、５１ａ、５２ａ…ディップチューブ、５１ｂ、５２ｂ…ステム。
【図１】
0006654005.tif 000005
【図２】
0006654005.tif 000006
【図３】
0006654005.tif 000007
【図４】
0006654005.tif 000008
【図５】
0006654005.tif 000009
【図６】
0006654005.tif 000010
【図７】
0006654005.tif 000011